(57)【要約】【課題】子無線端末に関する不要な登録情報を削除することができる通信管理装置、通信管理システム、通信管理方法及び通信管理プログラムを提供する。【解決手段】  通信管理装置２０１は、親無線端末１０１から送出された通信パケットを取得し、子無線端末２０３に対して送信する送受信部２２と、子無線端末の登録状態を検知する検知部２５と、検知部２５が子無線端末２０３を登録すべきでないと検知したら、子無線端末２０３の登録情報を削除する制御部２３とを有する。【選択図】図１
2017069765.tif 000002
【特許請求の範囲】
【請求項１】
複数の端末装置の登録情報を記憶し、前記端末装置の間の通信をネットワークを介して中継する通信管理装置であって、
第１の端末装置から送出された通信パケットを取得する取得手段と、
前記通信パケットを第２の端末装置に対して送信する送信手段と、
前記第２の端末装置の登録状態を検知する検知手段と、
前記検知手段が前記第２の端末装置を登録すべきでないと検知したら、当該第２の端末装置の前記登録情報を削除する制御手段とを有する
ことを特徴とする通信管理装置。
【請求項２】
前記検知手段は、前記第１の端末装置及び前記第２の端末装置の何れか一方から送出された前記第２の端末装置の登録をキャンセルする制御信号を受信した場合、当該第２の端末装置が登録すべきでないと検知する
ことを特徴とする請求項１に記載の通信管理装置。
【請求項３】
前記送信手段は、所定時間において前記第２の端末装置に対して前記第２の端末装置の存在状態を確認する確認信号を送信し、
前記取得手段は、前記第２の端末装置から送信された前記存在信号に対する応答信号を取得し、
前記検知手段は、前記送信手段が前記第２の端末装置に対して前記存在信号を送信してから所定時間において前記取得手段が前記応答信号を取得しなかった場合、当該第２の端末装置が登録すべきでないと検知する
ことを特徴とする請求項１に記載の通信管理装置。
【請求項４】
前記取得手段は、前記第２の端末装置から、前記送信手段により前記第２の端末装置に送出された前記通信パケットに対する返信パケットを取得し、
前記取得手段が前記送信手段により前記第２の端末装置に前記通信パケットが送信されてから所定時間において前記返信パケットを取得しなかった場合、前記検知手段は当該第２の端末装置が登録すべきでないと検知する
ことを特徴とする請求項１に記載の通信管理装置。
【請求項５】
複数の端末装置と、
前記端末装置の登録情報を記憶し、前記端末装置の間の通信をネットワークを介して中継する通信管理装置とを備え、
前記通信管理装置は、
第１の端末装置から送出された通信パケットを取得する取得手段と、
前記通信パケットを第２の端末装置に対して送信する送信手段と、
前記第２の端末装置の登録状態を検知する検知手段と、
前記検知手段が前記第２の端末装置が登録すべきでないと検知したら、当該第２の端末装置の前記登録情報を削除する制御手段とを有する
ことを特徴とする通信管理システム。
【請求項６】
端末装置の登録情報を記憶し、前記端末装置の間の通信をネットワークを介して中継する通信管理方法であって、
第１の端末装置から送出された通信パケットを取得する取得手段と、
前記通信パケットを第２の端末装置に対して送信する送信手段と、
前記第２の端末装置の登録状態を検知する検知手段と、
前記検知手段が前記第２の端末装置が登録すべきでないと検知したら、当該第２の端末装置の前記登録情報を削除する制御手段とを有する
ことを特徴とする通信管理方法。
【請求項７】
端末装置の登録情報を記憶し、前記端末装置の間の通信をネットワークを介して中継する通信管理プログラムであって、
コンピュータを、
第１の端末装置から送出された通信パケットを取得する取得手段と、
前記通信パケットを第２の端末装置に対して送信する送信手段と、
前記第２の端末装置の登録状態を検知する検知手段と、
前記検知手段が前記第２の端末装置が登録すべきでないと検知したら、当該第２の端末装置の前記登録情報を削除する制御手段として機能させる
ことを特徴とする通信管理プログラム。
【発明の詳細な説明】
【技術分野】
【０００１】
本発明は、通信管理装置、通信管理システム、通信管理方法及び通信管理プログラムに関する。
【背景技術】
【０００２】
従来、代表的な無線ネットワークとして、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準や、ＺｉｇＢｅｅ（登録商標）、ＳＥＰ（Ｓｍａｒｔ  Ｅｎｅｒｇｙ  Ｐｒｏｆｉｌｅ）などが知られている。このような無線通信ネットワークでは、一般的に、事前共有鍵（Ｐｒｅ−Ｓｈａｒｅｄ  Ｋｅｙ、Ｐｒｅ−Ｃｏｎｆｉｇｕｒｅｄ  Ｌｉｎｋ  Ｋｅｙ等）を含む通信電文を用いて、子無線端末が親無線端末に登録する。その際に、通信電文をコピーした電文を外部から送信することによる異常動作を引き起こさせるような攻撃（例えば、リプレーアタック）への対策として、通信電文の中にカウンター値（Ｆｒａｍｅ
Ｃｏｕｎｔｅｒ、以下、Ｆ．Ｃ．情報と記す。）を用いる。
【０００３】
そこで、上述端末の登録において、事前共有鍵とＦ．Ｃ．情報を含む通信電文を中継する通信管理装置を介して新規登録端末の情報を認証局に通知する認証システムが開示されている。（例えば、特許文献１参照）
【先行技術文献】
【特許文献】
【０００４】
【特許文献１】米国特許出願公開第２０１２／８３９３７号公報
【発明の概要】
【発明が解決しようとする課題】
【０００５】
しかしながら、特許文献１に記載の認証システムにおいて、通信管理装置は、子無線端末のＦ．Ｃ．情報などの登録情報を記憶して通信電文の中継を行う。そのため、端末の登録が完了後、通信管理装置に端末のＦ．Ｃ．情報などの登録情報が残ってしまい、通信管理装置の記憶能力を低下される問題がある。
【０００６】
そこで、本発明は、上記事由に鑑みて為されたものであって、親無線端末に登録された子無線端末に関する不要な登録情報を削除することができる通信管理装置、通信管理システム、通信管理方法及び通信管理プログラムを提供することを目的とする。
【課題を解決するための手段】
【０００７】
本発明の通信管理装置は、複数の端末装置の登録情報を記憶し、前記端末装置の間の通信をネットワークを介して中継するものであって、第１の端末装置から送出された通信パケットを取得する取得手段と、前記通信パケットを第２の端末装置に対して送信する送信手段と、前記第２の端末装置の登録状態を検知する検知手段と、前記検知手段が前記第２の端末装置を登録すべきでないと検知したら、当該第２の端末装置の前記登録情報を削除する制御手段とを有することを特徴とする。
【０００８】
本発明の通信管理システムは、複数の端末装置と、前記端末装置の登録情報を記憶し、前記端末装置の間の通信をネットワークを介して中継する通信管理装置とを備え、前記通信管理装置は、第１の端末装置から送出された通信パケットを取得する取得手段と、前記通信パケットを第２の端末装置に対して送信する送信手段と、前記第２の端末装置の登録状態を検知する検知手段と、前記検知手段が前記第２の端末装置が登録すべきでないと検
知したら、当該第２の端末装置の前記登録情報を削除する制御手段とを有することを特徴とする。
【０００９】
本発明の通信管理方法は、端末装置の登録情報を記憶し、前記端末装置の間の通信をネットワークを介して中継するものであって、第１の端末装置から送出された通信パケットを取得する取得手段と、前記通信パケットを第２の端末装置に対して送信する送信手段と、前記第２の端末装置の登録状態を検知する検知手段と、前記検知手段が前記第２の端末装置が登録すべきでないと検知したら、当該第２の端末装置の前記登録情報を削除する制御手段とを有することを特徴とする。
【００１０】
本発明の通信管理プログラムは、端末装置の登録情報を記憶し、前記端末装置の間の通信をネットワークを介して中継するものであって、コンピュータを、第１の端末装置から送出された通信パケットを取得する取得手段と、前記通信パケットを第２の端末装置に対して送信する送信手段と、前記第２の端末装置の登録状態を検知する検知手段と、前記検知手段が前記第２の端末装置が登録すべきでないと検知したら、当該第２の端末装置の前記登録情報を削除する制御手段として機能させることを特徴とする。
【発明の効果】
【００１１】
本発明に係る通信管理装置、通信管理システム、通信管理方法及び通信管理プログラムを用いることで、親無線端末に登録された子無線端末に関する不要な登録情報を削除することにより、通信管理装置の記憶能力の低下を抑えることができる。
【図面の簡単な説明】
【００１２】
【図１】図１は、本発明の実施形態１−３に係る通信管理システムＳ１を示す概念図である。
【図２】図２は、本発明の実施形態１−３に係る親無線端末及び子無線端末を示すブロック図ある。
【図３】図３は、本発明の実施形態１−３に係る通信管理装置を示すブロック図である。
【図４】図４は、本発明の実施形態１−３に係る通信管理装置が登録すべきでない子無線端末の登録情報を削除する動作を示すフローチャートである。
【発明を実施するための形態】
【００１３】
（実施形態１）
以下、本発明の実施形態１に係る通信管理システムＳ１について図１を用いて説明する。
【００１４】
図１は、通信管理システムＳ１を示す概念図である。図１に示すように、通信管理システムＳ１は、親無線端末１０１と、親無線端末１０１に登録されている子無線端末１０２−１０４、２０２−２０４と、親無線端末と子無線端末との間の通信を中継する通信管理装置２０１、３０１とを備える。なお、図１では、説明の便宜上、親無線端末を１台、子無線端末を６台（子無線端末１０２−１０４、２０２−２０４）、通信管理装置を２台（通信管理装置２０１、３０１）を図示している。しかしながら、無線通信システムの構成はこれに限定されるものではなく、これら無線端末は、図示されている台数を超えて含まれてもよいし、図示されている台数未満であってもよい。通信管理システムを構築する目的に応じて適宜、通信管理装置および子無線端末が備えられる。
【００１５】
なお、通信管理装置２０１、３０１を特に区別して説明する必要がない場合、単に通信管理装置と称するものとする。子無線端末１０２−１０４、２０２−２０４を特に区別して説明する必要がない場合、単に子無線端末と称するものとする。
【００１６】
親無線端末１０１および通信管理装置は、通信パケットを送信する側の無線端末であり、また、通信管理装置と、子無線端末は、通信パケットを受信する側の無線端末である。つまり、通信管理装置は、通信パケットを送受信できる無線端末であると言える。
【００１７】
なお、通信パケットは、親無線端末１０１と子無線端末との間の通信の通信データであり、例えばビーコン信号を想定しますが、特に限定しない。
【００１８】
通信管理システムＳ１では、例えば、図１に示すように、子無線端末１０２〜１０４は、直接、親無線端末１０１と通信することができる。より具体的には、親無線端末１０１は、子無線端末１０２〜１０４および通信管理装置それぞれに対して通信パケットを送信可能であるとともに、子無線端末１０２〜１０４および通信管理装置との間で、それぞれ無線による通信パケットなどのデータ通信が可能となっている。したがって、図１においては、これら無線端末間を、双方向の矢印で結んでいる。
【００１９】
子無線端末２０２〜２０４は、通信管理装置２０１を介して親無線端末１０１との間でデータ通信を確立する。より具体的には、通信管理装置２０１は、子無線端末２０２〜２０４、および通信管理装置３０１それぞれに対して、親無線端末１０１から取得した通信パケットを送信可能であるとともに、子無線端末２０２〜２０４および通信管理装置３０１との間でそれぞれデータ通信が可能となっている。
【００２０】
以下、本発明の実施形態１に係る親無線端末１０１、子無線端末及び通信管理装置について図２、図３を用いて説明する。
【００２１】
図２は、親無線端末１０１、子無線端末を示すブロック図ある。
【００２２】
親無線端末１０１は、アンテナ１、送受信部２、制御部３、記憶部４を備えている。
【００２３】
アンテナ１は、所定の帯域の電波を送受信できるものであれば特に限定されず、各種公的な規格で定められている帯域の電波を送受信可能な公知のアンテナが用いられる。
【００２４】
送受信部２は、アンテナ１を介して電波を送受信する際に、データを所定の帯域の無線信号に変調したり、所定の帯域の無線信号をデータに復調したりする無線送受信回路として構成されている。その具体的な構成は特に限定されず、無線通信ネットワークの分野で公知の高周波回路（ＲＦ回路）が用いられる。送受信部２は、後述する制御部３からの制御指示に応じて、通信管理装置、子無線端末に対して通信パケットを送信するものである。
【００２５】
制御部３は、例えば、ＣＰＵで構成され、親無線端末１０１の動作、特に無線通信動作に関する種々の制御を行う。なお、無線通信動作に関する種々の制御とは、例えば、送受信部２または記憶部４に対する制御指示が挙げられる。
【００２６】
記憶部４は、読み書き可能な記録媒体であって、例えば、ＣＰＵの内部メモリ、あるいは独立した記憶装置等として構成することができる。記憶部４には、例えば子無線端末の認証のための事前共有鍵（Ｐｒｅ−Ｓｈａｒｅｄ  Ｋｅｙ、Ｐｒｅ−Ｃｏｎｆｉｇｕｒｅｄ  Ｌｉｎｋ  Ｋｅｙ等）と、カウンター値のＦ．Ｃ．情報を含む情報テーブルとこれに関する種々の付随情報が記憶されている。なお、情報テーブルには、通信管理システムＳ１を構築する全ての子無線端末同士のつながりが分かるように、各端末の端末ＩＤの情報が記録されている。
【００２７】
図３は、通信管理装置（２０１、３０１）を示すブロック図ある。
【００２８】
通信管理装置は、アンテナ２１、送受信部２２、制御部２３、記憶部２４、検知部２５を備えている。
【００２９】
アンテナ２１は、所定の帯域の電波を送受信できるものであれば特に限定されず、各種公的な規格で定められている帯域の電波を送受信可能な公知のアンテナが用いられる。
【００３０】
送受信部２２は、アンテナ２１を介して電波を送受信する際に、データを所定の帯域の無線信号に変調したり、所定の帯域の無線信号をデータに復調したりする無線送受信回路として構成されている。その具体的な構成は特に限定されず、無線通信ネットワークの分野で公知の高周波回路（ＲＦ回路）が用いられる。送受信部２２は、後述する制御部２３からの制御指示に応じて、親無線端末１０１、子無線端末に対して通信パケットを受信、送信するものである。
【００３１】
記憶部２４は、読み書き可能な記録媒体であって、例えば、ＣＰＵの内部メモリ、あるいは独立した記憶装置等として構成することができる。記憶部２４は、例えば親無線端末１０１または子無線端末から送信した子無線端末のＦ．Ｃ．情報を含む登録情報を記憶する。
【００３２】
検知部２５は、子無線端末の登録状態を検知する。より具体的に説明すると、検知部２５は、親無線端末１０１から送出されたある子無線端末の登録をキャンセルする制御信号を受信した場合、当該子無線端末が登録すべきでないと検知する。
【００３３】
親無線端末１０１は、子無線端末の登録をキャンセルする場合、上述制御信号を送出すると想定するが、その限りではなく、例えば使用者が親無線端末１０１に対して、上述制御信号を送信するようにしてもよい。
【００３４】
制御部２３は、例えば、ＣＰＵで構成され、通信管理装置２０１の動作、特に無線通信動作に関する種々の制御を行う。また、制御部２３は、検知部２５がある子無線端末を登録すべきでないと検知したら、記憶部２４に対して当該子無線端末のＦ．Ｃ．情報を含む登録情報を削除するように制御を行う。
【００３５】
図４は、通信管理装置が登録すべきでない子無線端末の登録情報を削除する動作を示すフローチャートである。
【００３６】
図４に示すように、ステップＳ４１において、検知部２５は、ある子無線端末に対して、登録すべき子無線端末かどうかを検知する。検知部２５は、当該子無線端末が登録すべきでないと検知する場合、ステップＳ４２に進行する。そうでなければ、終了に進行する。
【００３７】
ステップＳ４２において、制御部２３は、記憶部２４に対して当該子無線端末のＦ．Ｃ．情報を含む登録情報を削除するように制御を行う。
【００３８】
図４により、通信管理装置において、検知部２５がある子無線端末を登録すべきでないと検知したら、制御部２３は記憶部２４に対して当該子無線端末のＦ．Ｃ．情報を含む登録情報を削除するように制御を行うことができる。
【００３９】
通信管理システムＳ１は、親無線端末１０１と、子無線端末と、子無線端末の登録情報を記憶し、親無線端末と子無線端末の間の通信をネットワークを介して中継する通信管理装置とを備える。
【００４０】
通信管理方法は、子無線端末の登録情報を記憶する記憶手段と、親無線端末から送出された通信パケットを取得する取得手段と、その通信パケットを子無線端末に対して送信する送信手段と、子無線端末の登録状態を検知する検知手段と、検知手段がある子無線端末が登録すべきでないと検知したら、当該子無線端末の登録情報を記憶手段から削除する制御手段とを有することを特徴とする。
【００４１】
通信管理プログラムは、子無線端末の登録情報を記憶し、親無線端末と子無線端末の間の通信をネットワークを介して中継するものであって、コンピュータを、第１の端末装置から送出された通信パケットを取得する取得手段と、前記通信パケットを第２の端末装置に対して送信する送信手段と、前記第２の端末装置の登録状態を検知する検知手段と、前記検知手段が前記第２の端末装置が登録すべきでないと検知したら、当該第２の端末装置の前記登録情報を削除する制御手段として機能させることを特徴とする。
【００４２】
実施形態１に係る通信管理装置は、その制御部２３は検知部２５がある子無線端末を登録すべきでないと検知したら、記憶部２４に対して当該子無線端末のＦ．Ｃ．情報を含む登録情報を削除するように制御を行うことで、不要な子無線端末の登録情報を記憶部２４から削除することができる。そのため、通信管理装置は、記憶部２４の記憶能力の低下を抑えることができる。
（実施形態２）
以下、本発明の実施形態２に係る通信管理装置について説明する。実施形態２において、送受信部２２は、子無線端末に対して確認信号を送信し、子無線端末から確認信号に対する応答信号を受信する。検知部２５は、送受信部２２が所定時間において応答信号を取得しなかった場合、子無線端末が登録すべきでないと検知する。なお、実施形態１と同様の構成については、同符号を付して説明を適宜省略する。
【００４３】
実施形態２に係る通信管理装置において、送受信部２２は、所定時間において子無線端末に対して子無線端末の存在状態を確認する確認信号を送信する。なお、上述所定時間は、例えば１日1回と想定するが、特に限定されない。また、子無線端末の存在状態とは、子無線端末が通信管理システムＳ１に参入しているかどうかの状態である。確認信号は、子無線端末が通信管理システムＳ１に参入しているかどうかを確認するための信号である。
【００４４】
子無線端末の送受信部２は、上述確認信号を受信する場合、確認信号に対して応答する応答信号を通信管理装置に送信する。
【００４５】
通信管理装置の送受信部２２は、上述応答信号を受信する。
【００４６】
検知部２５は、送受信部２２が子無線端末に対して確認信号を送てから所定時間において応答信号を取得しなかった場合、当該子無線端末が登録すべきでないと検知する。なお、ここの所定時間は、３０〜６０秒を想定するが、それに限定されない。
【００４７】
実施形態２に係る通信管理装置において、その検知部２５は、送受信部２２が子無線端末に対して確認信号を送てから所定時間において応答信号を取得しなかった場合、当該子無線端末が登録すべきでないと検知するため、その制御部２３は、不要な子無線端末の登録情報を記憶部２４から削除することができる。よって、通信管理装置は、記憶部２４の記憶能力の低下を抑えることができる。
（実施形態３）
以下、本発明の実施形態３に係る通信管理装置について説明する。実施形態３において、送受信部２２は、子無線端末から、通信パケットに対する返信パケットを受信する。検
知部２５は、送受信部２２が所定時間において応答信号を取得しなかった場合、子無線端末が登録すべきでないと検知する。なお、実施形態１と同様の構成については、同符号を付して説明を適宜省略する。
【００４８】
実施形態３に係る通信管理システムＳ１において、通信管理装置は、親無線端末１０１から子無線端末に送信する通信パケットを中継する際、子無線端末の送受信部２が通信パケットを受信する場合、受信した通信パケットに対する返信パケットを親無線端末１０１に送信する。
【００４９】
通信管理装置の送受信部２２は、上述返信パケットを受信する。
【００５０】
検知部２５は、送受信部２２が子無線端末に中継する通信パケットを送信してから所定時間（例えば３０〜６０秒）において子無線端末からの返信パケットを取得しなかった場合、当該第２の端末装置が登録すべきでないと検知する。
【００５１】
実施形態３に係る通信管理装置において、その検知部２５は、送受信部２２が子無線端末に中継する通信パケットを送信してから所定時間において子無線端末からの返信パケットを取得しなかった場合、当該第２の端末装置が登録すべきでないと検知するため、その制御部２３は、不要な子無線端末の登録情報を記憶部２４から削除することができる。よって、通信管理装置は、記憶部２４の記憶能力の低下を抑えることができる。
（結び）
以上のように、本発明における技術の例示として、実施形態を説明した。そのために、添付図面及び詳細な説明を提供した。
【００５２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５３】
なお、上述の実施形態は、本発明における技術を例示するためのものであるから、特許請求の範囲またはその均等の範囲において種々の変更、置き換え、付加、省略などを行うことができる。
【符号の説明】
【００５４】
Ｓ１  通信管理システム
１０１  親無線端末（第１の端末装置）
１  アンテナ
２  送受信部
３  制御部
４  記憶部
１０２、１０３、１０４、２０２、２０３、２０４  子無線端末（第２の端末装置）
２０１、３０１  通信管理装置
２１  アンテナ
２２  送受信部（取得手段、送信手段）
２３  制御部（制御手段）
２４  記憶部（記憶手段）
２５  検知部（検知手段）
【図１】
2017069765.tif 000003
【図２】
2017069765.tif 000004
【図３】
2017069765.tif 000005
【図４】
2017069765.tif 000006